(57)【要約】【課題】画像と音声とを利用した議事録機能を有する携帯電話機を提供する。【解決手段】会議における音声を録音して音声データとする録音手段（音源部８、マイク部９）と、会議の資料を撮影して画像データとする撮影手段１１と、音声データと画像データとを関連付けて議事録データとする関連付け手段（制御部６）と、議事録データを記憶する記憶手段７と、記憶手段７にある議事録データに含まれる音声データを再生する再生手段（音源部８、スピーカ部１０）と、記憶手段７にある議事録データに含まれる画像データを表示する表示手段（表示部２、制御部６）と、を備える。【選択図】      図１
2004343392.tif 000002
【特許請求の範囲】
【請求項１】
音声を録音して音声データを出力する録音手段と、
前記音声に関連する資料を撮影して画像データを出力する撮影手段と、
前記音声データと前記画像データとを関連付けて議事録データとする関連付け手段と、
前記議事録データを記憶する記憶手段と、
前記議事録データに含まれる前記音声データを再生する再生手段と、
前記議事録データに含まれる前記画像データを表示する表示手段と、
を備えることを特徴とする議事録機能付き携帯電話機。
【請求項２】
音声を録音して音声データを出力する録音手段と、
予め格納してある認識音声データと前記音声データとを比較して前記音声データの要約版を生成する音声編集手段と、
前記音声に関連する資料を撮影して画像データを出力する撮影手段と、
前記音声データと前記音声データの要約版と前記画像データとを関連付けて議事録データとする関連付け手段と、
前記議事録データを記憶する記憶手段と、
前記議事録データに含まれる前記音声データまたは前記音声データの要約版を再生する再生手段と、
前記議事録データに含まれる前記画像データを表示する表示手段と、
を備えることを特徴とする議事録機能付き携帯電話機。
【請求項３】
音声を録音して音声データを出力する録音手段と、
前記音声を音声認識してテキストデータを生成する音声認識手段と、
前記テキストデータから議事録の書式に則った前記音声データのテキスト版を生成する書式変換手段と、
前記音声に関連する資料を撮影して画像データを出力する撮影手段と、
前記音声データと前記音声データのテキスト版と前記画像データとを関連付けて議事録データとする関連付け手段と、
前記議事録データを記憶する記憶手段と、
前記議事録データに含まれる前記音声データを再生する再生手段と、
前記議事録データに含まれる前記画像データおよび前記音声データのテキスト版を表示する表示手段と、
を備えることを特徴とする議事録機能付き携帯電話機。
【請求項４】
音声を録音して音声データを出力する録音手段と、
予め格納してある認識音声データと前記音声データとを比較して前記音声データの要約版を生成する音声編集手段と、
前記音声を音声認識してテキストデータを生成する音声認識手段と、
前記テキストデータから議事録の書式に則った前記音声データのテキスト版を生成する書式変換手段と、
前記音声に関連する資料を撮影して画像データを出力する撮影手段と、
前記音声データと前記音声データの要約版と前記音声データのテキスト版と前記画像データとを関連付けて議事録データとする関連付け手段と、
前記議事録データを記憶する記憶手段と、
前記議事録データに含まれる前記音声データと前記音声データの要約版とを再生する再生手段と、
前記議事録データに含まれる前記音声データのテキスト版と前記画像データとを表示する表示手段と、
を備えることを特徴とする議事録機能付き携帯電話機。
【請求項５】
前記録音手段が、
外部にマイクを接続する外部端子を備え、前記外部端子に外部マイクを接続していることを特徴とする請求項１から４のいずれかに記載の議事録機能付き携帯電話機。
【請求項６】
会議における聴覚情報と前記聴覚情報から生成した視覚情報とを議事録データとして保存し、
前記議事録データの前記聴覚情報を再生し、前記議事録データの前記視覚情報を表示することを特徴とする議事録機能付き携帯電話機の議事録生成処理方法。
【請求項７】
会議における聴覚情報と前記聴覚情報から生成した視覚情報と前記会議における資料の画像データとを議事録データとして保存し、
前記議事録データに含まれる前記聴覚情報を再生し、前記議事録データに含まれる前記視覚情報と前記画像データとを表示することを特徴とする議事録機能付き携帯電話機の議事録生成処理方法。
【請求項８】
音声を録音して出力した音声データと前記音声に関連する資料を撮影して出力した画像データとを関連付けて議事録データとして保存し、
前記議事録データに含まれる前記音声データを再生し、前記議事録データに含まれる前記画像データを表示することを特徴とする議事録機能付き携帯電話機の議事録生成処理方法。
【請求項９】
音声を録音して音声データとして保存するステップと、
前記音声に関連する資料を撮影して画像データとして保存するステップと、
保存した前記音声データと保存した前記画像データとの関連付けを行って議事録データとして保存するステップと、
保存した前記音声データを再生するステップと、
前記音声データの再生と同時に保存した前記画像データを表示するステップと、
を備えることを特徴とする議事録機能付き携帯電話機の議事録生成処理方法。
【請求項１０】
前記資料を撮影して複数の画像データとして保存する場合、保存した前記音声データと保存した前記複数の画像データとの関連付けを行って、前記議事録データとして保存することを特徴とする請求項８または９に記載の議事録機能付き携帯電話機の議事録生成処理方法。
【請求項１１】
前記画像データとは別の画像データを追加して保存する場合、保存した前記音声データと保存した前記画像データと保存した前記別の画像データとの関連付けを行って、前記議事録データとして保存することを特徴とする請求項８または９に記載の議事録機能付き携帯電話機の議事録生成処理方法。
【請求項１２】
前記議事録データが、
前記音声データの要約版を含むことを特徴とする請求項８または９に記載の議事録機能付き携帯電話機の議事録生成処理方法。
【請求項１３】
前記議事録データが、
前記音声データのテキスト版を含むことを特徴とする請求項８または９に記載の議事録機能付き携帯電話機の議事録生成処理方法。
【請求項１４】
前記議事録データが、
前記音声データの要約テキスト版を含むことを特徴とする請求項８または９に記載の議事録機能付き携帯電話機の議事録生成処理方法。
【請求項１５】
前記議事録データが、
前記音声データと、前記音声データの要約版と、前記音声データのテキスト版と、前記音声データの要約テキスト版とを含むことを特徴とする請求項８または９に記載の議事録機能付き携帯電話機の議事録生成処理方法。
【発明の詳細な説明】
【０００１】
【発明の属する技術分野】
本発明は、携帯電話機に関し、特に音声の録音・再生とカメラによる画像撮影が可能な議事録機能付き携帯電話機に関する。
【０００２】
【従来の技術】
モバイル機と携帯電話機を携行しなくても画像の撮影、通信が手軽に行えるビデオカメラ一体型多機能携帯電話機が特開２００２−２２３２７５号公報で開示されている。
【０００３】
これによれば、モード選択スイッチでＣＡＭＥＲＡを選ぶと、内蔵されたビデオカメラ部及びマイクによって画像および音声をメモリーカードに記録させることができる。モード選択スイッチをＯＦＦにすると音声専用の録音機として本体マイクからの音声または入出力ジャックからの外部マイクの音声をメモリーカードに記録することができる。モード選択スイッチをＰＬＡＹにした場合はメモリーカードに記録されている画像、音声を再生することができる。
【０００４】
【特許文献１】
特開２００２−２２３２７５号公報（段落００３３、段落００３６、段落００３７、図４）
【０００５】
【発明が解決しようとする課題】
しかしながら、上記した従来の技術は、携帯電話機が存在する会場風景や会場の様子、周囲の景色や周囲の眺望などをビデオカメラ部及びマイクによって画像や音声を記録している。従って、画像と音声とで雰囲気は分かるものの細部は分からず、記録文書、記録資料などの機能を備える議事録用としては正確性を欠いていた。
【０００６】
本発明は、画像と音声とを利用し、記録文書、記録資料として使用される議事録の生成および再生に供することができる議事録機能付き携帯電話機およびその議事録生成処理方法を提供することを目的とする。
【０００７】
【課題を解決するための手段】
本発明の議事録機能付き携帯電話機は、音声を録音して音声データを出力する録音手段と、前記音声に関連する資料を撮影して画像データを出力する撮影手段と、前記音声データと前記画像データとを関連付けて議事録データとする関連付け手段と、前記議事録データを記憶する記憶手段と、前記議事録データに含まれる前記音声データを再生する再生手段と、前記議事録データに含まれる前記画像データを表示する表示手段と、を備えることを特徴とする。
【０００８】
本発明の議事録機能付き携帯電話機は、音声を録音して音声データを出力する録音手段と、予め格納してある認識音声データと前記音声データとを比較して前記音声データの要約版を生成する音声編集手段と、前記音声に関連する資料を撮影して画像データを出力する撮影手段と、前記音声データと前記音声データの要約版と前記画像データとを関連付けて議事録データとする関連付け手段と、前記議事録データを記憶する記憶手段と、前記議事録データに含まれる前記音声データまたは前記音声データの要約版を再生する再生手段と、前記議事録データに含まれる前記画像データを表示する表示手段と、を備えることを特徴とする。
【０００９】
本発明の議事録機能付き携帯電話機は、音声を録音して音声データを出力する録音手段と、前記音声を音声認識してテキストデータを生成する音声認識手段と、前記テキストデータから議事録の書式に則った前記音声データのテキスト版を生成する書式変換手段と、前記音声に関連する資料を撮影して画像データを出力する撮影手段と、前記音声データと前記音声データのテキスト版と前記画像データとを関連付けて議事録データとする関連付け手段と、前記議事録データを記憶する記憶手段と、前記議事録データに含まれる前記音声データを再生する再生手段と、前記議事録データに含まれる前記画像データおよび前記音声データのテキスト版を表示する表示手段と、を備えることを特徴とする。
【００１０】
本発明の議事録機能付き携帯電話機は、音声を録音して音声データを出力する録音手段と、予め格納してある認識音声データと前記音声データとを比較して前記音声データの要約版を生成する音声編集手段と、前記音声を音声認識してテキストデータを生成する音声認識手段と、前記テキストデータから議事録の書式に則った前記音声データのテキスト版を生成する書式変換手段と、前記音声に関連する資料を撮影して画像データを出力する撮影手段と、前記音声データと前記音声データの要約版と前記音声データのテキスト版と前記画像データとを関連付けて議事録データとする関連付け手段と、前記議事録データを記憶する記憶手段と、前記議事録データに含まれる前記音声データと前記音声データの要約版とを再生する再生手段と、前記議事録データに含まれる前記音声データのテキスト版と前記画像データとを表示する表示手段と、を備えることを特徴とする。
【００１１】
本発明の議事録機能付き携帯電話機は、前記録音手段が、外部にマイクを接続する外部端子を備え、前記外部端子に外部マイクを接続していることを特徴とする。
【００１２】
本発明の議事録機能付き携帯電話機の議事録生成処理方法は、会議における聴覚情報と前記聴覚情報から生成した視覚情報とを議事録データとして保存し、前記議事録データの前記聴覚情報を再生し、前記議事録データの前記視覚情報を表示することを特徴とする。
【００１３】
本発明の議事録機能付き携帯電話機の議事録生成処理方法は、会議における聴覚情報と前記聴覚情報から生成した視覚情報と前記会議における資料の画像データとを議事録データとして保存し、前記議事録データに含まれる前記聴覚情報を再生し、前記議事録データに含まれる前記視覚情報と前記画像データとを表示することを特徴とする。
【００１４】
本発明の議事録機能付き携帯電話機の議事録生成処理方法は、音声を録音して出力した音声データと前記音声に関連する資料を撮影して出力した画像データとを関連付けて議事録データとして保存し、前記議事録データに含まれる前記音声データを再生し、前記議事録データに含まれる前記画像データを表示することを特徴とする。
【００１５】
本発明の議事録機能付き携帯電話機の議事録生成処理方法は、音声を録音して音声データとして保存するステップと、前記音声に関連する資料を撮影して画像データとして保存するステップと、保存した前記音声データと保存した前記画像データとの関連付けを行って議事録データとして保存するステップと、保存した前記音声データを再生するステップと、前記音声データの再生と同時に保存した前記画像データを表示するステップと、を備えることを特徴とする。
【００１６】
本発明の議事録機能付き携帯電話機の議事録生成処理方法は、前記資料を撮影して複数の画像データとして保存する場合、保存した前記音声データと保存した前記複数の画像データとの関連付けを行って、前記議事録データとして保存することを特徴とする。
【００１７】
本発明の議事録機能付き携帯電話機の議事録生成処理方法は、前記画像データとは別の画像データを追加して保存する場合、保存した前記音声データと保存した前記画像データと保存した前記別の画像データとの関連付けを行って、前記議事録データとして保存することを特徴とする。
【００１８】
本発明の議事録機能付き携帯電話機の議事録生成処理方法は、前記議事録データが、前記音声データの要約版を含むことを特徴とする。
【００１９】
本発明の議事録機能付き携帯電話機の議事録生成処理方法は、前記議事録データが、前記音声データのテキスト版を含むことを特徴とする。
【００２０】
本発明の議事録機能付き携帯電話機の議事録生成処理方法は、前記議事録データが、前記音声データの要約テキスト版を含むことを特徴とする。
【００２１】
本発明の議事録機能付き携帯電話機の議事録生成処理方法は、前記議事録データが、前記音声データと、前記音声データの要約版と、前記音声データのテキスト版と、前記音声データの要約テキスト版とを含むことを特徴とする。
【００２２】
【発明の実施の形態】
次に、本発明の実施の形態について図面を参照して詳細に説明する。
【００２３】
＜第１の実施形態＞本発明の第１の実施形態について説明する。図１は、本発明の構成ブロック図である。
【００２４】
図１において、キー入力部１は、ユーザのキー操作により、文字入力や各種操作を行う。表示部２は、キー入力部１から入力された文字や保存されている画像等をＬＣＤ（Ｌｉｑｕｉｄ  Ｃｒｙｓｔａｌ  Ｄｉｓｐｌａｙ）３へ表示する。無線部４は、アンテナ部５によって送受信される無線データの符号化および復号化等を行う。
【００２５】
制御部６は、保存した音声データおよび画像データを関連付け（関連付け手段：制御部６）、記憶部７への保存や画像データを表示部２へ表示させる（表示手段：表示部２、制御部６）等の制御を行う。記憶部７は、録音した音声データや撮影した画像データ等を保存する。音源部８は、マイク部９からの音声（聴覚情報）を録音して音声データとして出力（録音手段：音源部８、マイク部９）し、録音した音声データをスピーカ部１０から再生する（再生手段：音源部８、スピーカ部１０）。
【００２６】
カメラ部１１は、会議における配布資料、会議において黒板、白板や電子黒板などに書かれた（板書きされた）内容、会議における議場の状況などの画像を撮影し画像データを出力する（撮影手段）。万一、音声が拾えない場合あるいは部分的に歯抜けになるような場合に備えて、黒板、白板や電子黒板などに板書きした内容も資料として含ませる。
【００２７】
次に、本発明の実施の形態の動作について図２〜図４を参照して説明する。
【００２８】
図２は、会議中に音声および画像データを保存する手順を示すフローチャートである。
【００２９】
ステップＳ１にて、ユーザは、キー入力部１を操作し、マイク部９によって会議における音声の録音を開始する。次に、ステップＳ２にて資料を画像データとして保存するかどうかの判断を行う。
【００３０】
保存する場合はステップＳ３にてキー入力部１を操作し、カメラ部１１によって会議における配布資料を含む資料の撮影を行い、記憶部７へ画像データとして保存する。この保存は、会議開催年月日、会議名称などを標題として行われる。
【００３１】
次に、ステップＳ４にて音声の録音を終了するかどうかの判断を行い、終了しないと判断した場合は録音を続行する（ステップＳ４のＮＯ）。終了する場合はキー入力部１を操作して、録音を終了させる（ステップＳ４のＹＥＳ）。
【００３２】
次に、制御部６は保存した音声データとステップＳ３で保存した画像データとの関連付けを行い、議事録データとして記憶部７へ保存する（ステップＳ５）。
【００３３】
図３は、保存した議事録データの表示画面の一例である。１つの会議の議事録データとして、音声データと画像データ（資料１）が保存されている。この例では、議事録データの表示画面において、２００２／１２／１５（会議開催年月日）の○○会議（会議名称）と２００２／１２／１０（会議開催年月日）の××打合せ（会議名称）の議事録が表示され、どちらかをクリックすると矢印の先に示すように○○会議または××打合せの画面が表示される。音声データまたは資料１のどちらかをクリックして、再生ボタンを押下すれば音声が再生されてスピーカ部１０から放音され、同時に資料１の画面がＬＣＤ３に表示される。つまり、資料１を参照しながら音声を聞く状態が作られる。
【００３４】
図４は、保存した議事録データを再生する手順を示すフローチャートである。
【００３５】
ステップＳ６にて、ユーザはキー入力部１を操作し、保存した音声データをスピーカ部１０で再生させる。
【００３６】
また、ステップＳ７にて保存したデータに画像データが存在するかどうかの判断を行い、画像データが存在する場合（ステップＳ７のＹＥＳ）は、音声データの再生と同時に表示部２へ画像データの表示を行う（ステップＳ８）。
【００３７】
ステップＳ９にて、音声データの再生を終了するかどうかの判断を行い、終了しないと判断した場合（ステップＳ９のＮＯ）はそのまま再生を続行する。終了する場合（ステップＳ９のＹＥＳ）はキー入力部１を操作し、再生を終了する（ステップＳ１０）。
＜第２の実施形態＞この第２の実施形態は、画像データが複数枚保存する場合に適用されるものである。図５〜図７を参照して、第２の実施形態の動作について説明する。
【００３８】
図５は、議事録データに、画像データを複数枚保存する場合の手順を示すフローチャートである。
【００３９】
音声データの録音を実行中（ステップＳ１）、ステップＢ１にて資料を画像データとして保存するかどうかの判断を行う。
【００４０】
保存する場合はステップＢ２にてキー入力部１を操作し、カメラ部１１で会議での配布資料などを含む資料の撮影を行い、記憶部７へ画像データとして保存する。
【００４１】
次に、別の資料を画像データとして保存するかどうかの判断を行い（ステップＢ１）、保存する場合はステップＢ２にてカメラ部１１より別の資料の撮影を行う。資料の保存が完了するまでステップＢ１およびステップＢ２を繰り返す。
【００４２】
音声の録音終了後（ステップＳ４のＹＥＳ）、制御部６は音声データと保存したすべての画像データとの関連付けを行い、記憶部７へ保存させる（ステップＳ５）。
【００４３】
図６は、画像データが複数枚保存されている場合の議事録データの表示画面の一例である。１つの会議のデータとして、音声データと複数枚の画像データ（資料１〜３）が保存されている。
【００４４】
この例では、○○会議の議事録として音声データ、資料１〜３が表示される。音声データ、資料１〜３のいずれかをクリックして、再生ボタンを押下すれば音声が再生されスピーカ部１０から放音され、同時に資料１〜３の画面がＬＣＤ３に表示される。つまり、音声を聞きながら資料１〜３を表示させることができる。
【００４５】
図７は、画像データが複数枚存在する場合の議事録データを再生する手順を示すフローチャートである。
【００４６】
音声データの再生中（ステップＳ６）、画像データがある場合（ステップＳ７のＹＥＳ）は表示部２へ画像データを表示させる（ステップＳ８）。
【００４７】
ステップＢ３にて、次の画像データがある場合は、キー入力部１を操作し次の画像データを表示部２へ表示させる（ステップＢ４）。次の画像データがなくなるまでステップＢ３およびステップＢ４を繰り返す。
【００４８】
ステップＳ９にて、音声データの再生を終了するかどうかの判断を行い、終了しないと判断した場合（ステップＳ９のＮＯ）はそのまま再生を続行する。終了する場合（ステップＳ９のＹＥＳ）はキー入力部１を操作し、再生を終了する（ステップＳ１０）。
【００４９】
この第２の実施形態は、複数枚の画像データを音声データとともにひとつの会議のデータとして保存し、また再生することを可能とする効果を有する。
＜第３の実施形態＞この第３の実施形態は、一旦保存したデータに、別の画像データを追加する場合に適用されるものである。図８を参照して、第３の実施形態の動作について説明する。
【００５０】
図８は、別の画像データを追加する場合の手順を示すフローチャートである。
【００５１】
ステップＳ１からステップＳ５までの動作は図２と同じなので説明を省略する。一旦、保存した音声データと画像データを関連付けて保存した（ステップＳ５）後、ステップＢ５にて別の画像データを追加するかどうかの判断を行う。追加する場合（ステップＢ５のＹＥＳ）は、制御部６は保存済みの音声データ、画像データおよび追加する別の画像データとの関連付けを行い、記憶部７へ保存させる（ステップＢ６）。
【００５２】
ステップＢ６で保存された音声データ、画像データの再生は、既に説明した図７に示す画像データが複数枚存在する場合のデータを再生する手順を示すフローチャートに同じであり、説明を省略する。
【００５３】
この第３の実施形態は、音声データと画像データを関連付けてひとつの会議のデータとして保存されているものへ、さらに別の画像データを追加することを可能とする効果を有する。
＜第４の実施形態＞この第４の実施形態は、議事録の使用勝手をさらに改善するために、音声データの要約版（音声データ要約版）を生成するもので、これまでに説明した第１〜第３の実施形態と併用してもよい。
【００５４】
図９は、第４の実施形態の構成ブロック図である。音源部８に音声編集部８ａを備える以外は、図１に同じなので同一部分の説明を省略する。音声編集部８ａは、マイク部９からの音声を逐次、予め格納してある認識音声データ（課題、結論、要処置事項などの認識音声データ）と比較し、一致したらそれ以降の音声データを適宜保存する（所定の認識音声データにて保存を終了するなど）ことによって音声データ要約版を生成する。
【００５５】
これまでに説明した音声データは、例えば１時間の会議だと、録音した１時間分の音声データを再生して聞かなければならない。この第４の実施形態による音声データ要約版では、要点を迅速に把握し、再生時間の節約を図ることが可能になる。
【００５６】
＜第５の実施形態＞この第５の実施形態は、議事録データに含まれる音声データから音声データのテキスト版（音声データテキスト版）を生成して議事録データに含ませるもので、これまでに説明した第１〜第４の実施形態と併用してもよい。
【００５７】
図１０は、第５の実施形態の構成ブロック図である。音源部８に音声認識部８ｂおよび書式変換部８ｃを備える以外は、図１に同じなので同一部分の説明は省略する。
【００５８】
音声認識部８ｂは、マイク部９から出力される音声信号に基づき音声認識してテキストデータを生成する。書式変換部８ｃは、音声認識部８ｂから出力されるテキストデータから議事録の書式に則った文字情報（音声データテキスト版）を出力する。制御部６は、この文字情報を表示部２へ出力し、表示部２はＬＣＤ３へ表示する。
【００５９】
図１１は、第２、第４、第５の実施形態を併用した議事録データに、画像データが複数枚保存されている場合の議事録データの表示画面の一例である。
【００６０】
１つの会議の議事録データとして、音声データ、音声データ要約版、音声データテキスト版および複数枚の画像データ（資料１、２）が保存されている。
【００６１】
この例では、○○会議および××打合せの議事録として音声データ、音声データ要約版、音声データテキスト版、資料１および資料２が表示される。音声データ、音声データ要約版、音声データテキスト版、資料１、資料２のいずれかをクリックして、再生ボタンを押下すれば音声データ、音声データ要約版の音声が再生されスピーカ部１０から放音され、同時に音声データテキスト版、資料１、資料２の画面がＬＣＤ３に表示される。つまり、音声を聞きながら音声データテキスト版、資料１、資料２を表示させることができる。
【００６２】
この第５の実施形態における音声データテキスト版の生成を、第４の実施形態における音声データ要約版の生成に組み合わせると（音源部８に、音声編集部８ａ、音声認識部８ｂ、書式変換部８ｃを備える）、音声データ要約版のテキスト版（音声データの要約テキスト版つまり音声データ要約テキスト版）を生成することが可能となる。この際、第１〜第３の実施形態で説明した会議における画像データはあってもなくてもよい。
【００６３】
これまでに説明した、音声データ、音声データの要約版（音声データ要約版）、音声データのテキスト版（音声データテキスト版）、音声データの要約テキスト版（音声データ要約テキスト版）は、それぞれ単独に議事録データとしてもよいし、それぞれを任意に組み合わせて（全部を組み合わせることを含む）議事録データとしてもよい。
【００６４】
つまり、会議における音声（聴覚情報）を基にした音声データまたは音声データ要約版を再生（聴覚情報）して、音声データテキスト版または音声データ要約テキスト版を表示（視覚情報）し、会議における資料の画像データを表示させることによってさらに議事内容を理解することが容易になる。
【００６５】
＜第６の実施形態＞この第６の実施形態は、議事録機能付き携帯電話機に内蔵されるマイク部９の他に外部マイク部１２を備え、これまでに説明した第１〜第５の実施形態と併用して用いることができる。
【００６６】
図１２は、第６の実施形態の構成ブロック図である。
【００６７】
音声を確実に拾うために、外部マイク部１２は、指向性マイクや無指向性マイクなどを含むマイクシステムや集音マイク等でなる外部マイクであり、議事録機能付き携帯電話機の外部端子１３に接続されて使用される。
【００６８】
【発明の効果】
携帯電話機による音声録音・再生機能とカメラによる画像撮影機能を用いて、会議中の音声を録音して再生し、会議の資料を撮影して表示するので、会議の内容を１台の装置で容易に保存および再生することができるという効果を有する。
【００６９】
また、携帯電話機による音声録音・再生機能とカメラによる画像撮影機能を用いて、録音した音声を再生すると同時に撮影した会議の資料を表示するので、ユーザは表示されている会議の資料を参照しながら再生される音声を聞くことによって議事内容を容易に理解することが可能になる。
【００７０】
さらに、音声データ要約版を使用することによって会議の要点を迅速に把握することが可能になる。
【００７１】
さらに、音声データまたは音声データ要約版を再生（聴覚情報）しながら音声データテキスト版または音声データ要約テキスト版を表示（視覚情報）し、聴覚情報と視覚情報とを併用することによって、再生音声データのヒヤリングミスを軽減することが可能になるという効果がある。
【図面の簡単な説明】
【図１】本発明の構成ブロック図である。
【図２】会議中に音声および画像データを保存する手順を示すフローチャートである。
【図３】議事録データの表示画面の一例である。
【図４】議事録データを再生する手順を示すフローチャートである。
【図５】第２の実施形態における議事録データに、画像データを複数枚保存する場合の手順を示すフローチャートである。
【図６】第２の実施形態における、議事録データの表示画面の一例である。
【図７】第２の実施形態における、画像データが複数枚存在する場合の議事録データを再生する手順を示すフローチャートである。
【図８】第３の実施形態における、別の画像データを追加する場合の手順を示すフローチャートである。
【図９】第４の実施形態における、構成ブロック図である。
【図１０】第５の実施形態における、構成ブロック図である。
【図１１】第２、第４、第５の実施形態を併用した議事録データ表示画面の一例である。
【図１２】第６の実施形態における、構成ブロック図である。
【符号の説明】
１    キー入力部
２    表示部
３    ＬＣＤ
４    無線部
５    アンテナ部
６    制御部
７    記憶部
８    音源部
８ａ    音声編集部
８ｂ    音声認識部
８ｃ    書式変換部
９    マイク部
１０    スピーカ部
１１    カメラ部
１２    外部マイク部
１３    外部端子
【図１】
2004343392.tif 000003
【図２】
2004343392.tif 000004
【図３】
2004343392.tif 000005
【図４】
2004343392.tif 000006
【図５】
2004343392.tif 000007
【図６】
2004343392.tif 000008
【図７】
2004343392.tif 000009
【図８】
2004343392.tif 000010
【図９】
2004343392.tif 000011
【図１０】
2004343392.tif 000012
【図１１】
2004343392.tif 000013
【図１２】
2004343392.tif 000014